(57)【特許請求の範囲】
【請求項１】
１枚のブランクを組み立てて形成され、前パネルと後パネル、右側パネルと左側パネル、及び天パネルと底パネルとが、相互に対向するように構成されてなる外箱と、
天板、底板、一対の左右側板を、後板から立ち上がるように折線を介して連接し、前記後板と対向する側が開口とされたトレー状の中箱と、からなり、
前記トレー状の中箱の開口側が前記外箱の前記前パネルと対面し前記後板が前記後パネルと対面するように前記トレー状の中箱が前記外箱内に収納された振り出しカートンであって
前記外箱の前記前パネルに下端より所定高さの位置にジッパーにより切り取り可能な開口部が形成されており、
前記トレー状の中箱には、前記底板に折線を介して前板及び上板が連接され、前記底板と前記上板及び前記前板と前記後板が相互に対向するように構成された受け台が形成され、前記受け台を形成する前記底板及び前記上板が前記後板から前記前板に向かい下る傾斜面であり、前記後板には下辺中央部に下方に延びる突片が設けられ、前記底板には、前記後板の下辺と連接する側の中央部に前記突片の外郭線に相当する外郭線を有する穴部が形成されていることを特徴とする振り出しカートン。
【請求項２】
前記左右側板の天板側から底板側に向かう方向の両辺の長さが外側の辺より内側の辺が長くされており、外側の辺と下辺の交点と、内側の辺と前記後板の下辺との交点とを結ぶ差し込み片形成用折線が形成され、前記差し込み片形成用折線で区画された前記左右側板の下部が略三角形の差し込み片とされ、前記差し込み片が前記差し込み片形成用折線で折り曲げられ前記穴部に差し込まれていることを特徴とする請求項１に記載の振り出しカートン。
【請求項３】
前記外箱が、前記後パネルの上辺に折線を介して天パネル内板を連接し、前記前パネルの上辺に折線を介して天パネル外板を連接し、前記天パネル内板上に前記天パネル外板を重ねて接着し前記天パネルが形成されてなり、前記後パネルの上辺中央部に摘み部形成用切目線により摘み部が形成されていることを特徴とする請求項１または請求項２に記載の振り出しカートン。
【発明の詳細な説明】
【技術分野】
【０００１】
本発明は、ビスケット、クッキー、チョコレート等の菓子類を個包装して収納する外箱と、この外箱内に収納されたトレー状の中箱からなる振り出しカートンに関する。
【背景技術】
【０００２】
従来、ビスケット、クッキー、チョコレート等の菓子類を個包装して収納するカートンとしては、トップオープン型のカートンが多用されている。トップオープン型のカートンは、天面パネルから延設したフラップパネルを前面パネルと貼着し、個包装された内容物を収納後、折り込みフラップ及びサイドパネルを貼着することにより、箱体を形成する紙箱であって、開封時には、フラップパネルの一部からなる摘み部を引っ張り、破断線に沿ってフラップパネルと天面パネルを破断することにより２本の破断線に囲まれた開閉部分を摘み上げ、天面パネルの中央部を大きく開放して収納された個包装された内容物を取り出すことができる（例えば、特許文献１、特許文献２参照）。
【０００３】
トップオープン型のカートンは、天面パネルに大きな開口部が形成されるので個包装された内容物を容易に取り出すことができ便利な形態である。反面、汎用化されありふれた形態となってしまったので斬新さが欠けるという欠点があり、消費者に購買意欲をそそるようなパッケージの開発が望まれている。
【先行技術文献】
【特許文献】
【０００４】
【特許文献１】特開平９−１９３９２６号公報
【特許文献２】特開２０１１−０７９５５８号公報
【発明の概要】
【発明が解決しようとする課題】
【０００５】
本発明者は、上記問題を解決すべく鋭意研究の結果、内容物の取り出す際、使用者に興味と楽しさを与えるパッケージ形態を見出し、本発明を完成した。すなわち、本発明の目的とするところは振り出し口を外箱に設け、上下に衝撃を与えることで内容物を１つずつ確実に取り出せる振り出しカートンを提供することにある。
【課題を解決するための手段】
【０００６】
本発明は、上記課題を達成するために、請求項１記載の本発明は、１枚のブランクを組み立てて形成され、前パネルと後パネル、右側パネルと左側パネル、及び天パネルと底パネルとが、相互に対向するように構成されてなる外箱と、天板、底板、一対の左右側板を、後板から立ち上がるように折線を介して連接し、前記後板と対向する側が開口とされたトレー状の中箱と、からなり、前記トレー状の中箱の開口側が前記外箱の前記前パネルと対面し前記後板が前記後パネルと対面するように前記トレー状の中箱が前記外箱内に収納された振り出しカートンであって、前記外箱の前記前パネルに下端より所定高さの位置にジッパーにより切り取り可能な開口部が形成されており、前記トレー状の中箱には、前記底板に折線を介して前板及び上板が連接され、前記底板と前記上板及び前記前板と前記後板が相互に対向するように構成された受け台が形成され、前記受け台を形成する前記底板及び前記上板が前記後板から前記前板に向かい下る傾斜面であり、前記後板には下辺中央部に下方に延びる突片が設けられ、前記底板には、前記後板の下辺と連接する側の中央部に前記突片の外郭線に相当する外郭線を有する穴部が形成されていることを特徴とする振り出しカートンである。
【０００７】
また、請求項２記載の本発明は、請求項１に記載の振り出しカートンにおいて、前記左右側板の天板側から底板側に向かう方向の両辺の長さが外側の辺より内側の辺が長くされており、外側の辺と下辺の交点と、内側の辺と前記後板の下辺との交点とを結ぶ差し込み片形成用折線が形成され、前記差し込み片形成用折線で区画された前記左右側板の下部が略三角形の差し込み片とされ、前記差し込み片が前記差し込み片形成用折線で折り曲げられ前記穴部に差し込まれていることを特徴とするものである。
【０００８】
また、請求項３記載の本発明は、請求項１または請求項２に記載の振り出しカートンにおいて、前記外箱が、前記後パネルの上辺に折線を介して天パネル内板を連接し、前記前パネルの上辺に折線を介して天パネル外板を連接し、前記天パネル内板上に前記天パネル外板を重ねて接着し前記天パネルが形成されてなり、前記後パネルの上辺中央部に摘み部形成用切目線により摘み部が形成されていることを特徴とするものである。
【発明の効果】
【００１０】
本発明の振り出しカートンは、トレー状の中箱の下部に受け台が形成され、受け台が後板側から開口側に向かい下る傾斜面とされており、外箱のジッパーで開口部を切り取ることにより振り出し口を形成した後、振り出しカートンの底パネルを例えばテーブルの上で当接させるように上下に衝撃を与えることで個包装された内容物を振り出し口より取り出すことができる。さらに、トレー状の中箱に個包装された内容物を上下方向に１列に積み重ねて収納しておくことにより、衝撃を与える都度、個包装された内容物が振り出し口から一つずつ飛び出し、取り出すことができるので使用者にその操作に興味と楽しさを与えることができる。
【００１１】
また、本発明の振り出しカートンでは、上記効果に加え、後パネルの上辺中央部に摘み部形成用切目線により摘み部が形成されている構成とすることにより、摘み部を開封することにより天パネルを開口し中箱を引き出すことができるので内容物を消費し空箱となっても内容物を空箱に補充することができるので、詰め替えカートンとして再利用ができる。
【図面の簡単な説明】
【００１２】
【図１】本発明に係る振り出しカートンの構成部材である外箱とトレー状の中箱を分離した状態で示す斜視図である。
【図２】本発明に係る振り出しカートンの外箱のブランクを示す展開図である。
【図３】本発明に係る振り出しカートンのトレー状の中箱のブランクを示す展開図である。
【図４】本発明に係る振り出しカートンの内容物を取り出した状態を説明する斜視図である。
【図５】図４におけるＡ−Ａ方向の縦断面図である。
【図６】本発明に係る振り出しカートンの内容物を取り出した後の再利用方法を説明する部分斜視図である。
【図７】本発明に係る振り出しカートンのトレー状の中箱のその他の例のブランクを示す展開図である。
【図８】その他の例のブランクを組み立てた本発明に係る振り出しカートンのトレー状の中箱のその他の例を示す斜視図である。
【発明を実施するための形態】
【００１３】
上記の本発明について、図面等を用いて以下に詳述する。
図１は本発明に係る振り出しカートンの構成部材である外箱とトレー状の中箱を分離した状態で示す斜視図、図２は本発明に係る振り出しカートンの外箱のブランクを示す展開図、図３は本発明に係る振り出しカートンのトレー状の中箱のブランクを示す展開図、図４は本発明に係る振り出しカートンの内容物を取り出した状態を説明する斜視図、図５は図４におけるＡ−Ａ方向の縦断面図、図６は本発明に係る振り出しカートンの内容物を取り出した後の再利用方法を説明する部分斜視図、図７は本発明に係る振り出しカートンのトレー状の中箱のその他の例のブランクを示す展開図、図８はその他の例のブランクを組み立てた本発明に係る振り出しカートンのトレー状の中箱のその他の例を示す斜視図であり、図中のＦ、Ｆ’は振り出しカートン、１は外箱、２、２’はトレー状の中箱、３、３’は受け台、４は振り出し口、１１は前パネル、１１Ａは開口部、１２は後パネル、１２Ａは摘み部形成用切目線、１３は左側パネル、１４は右側パネル、１５は糊代片、１６はジッパー、１６１、１６２、１６３、１６４は破断線、１７は摘み部、１８は開封用破断線、２０は天パネル、２１は天パネル外板、２２は天パネル内板、２３、２４は天折り込み片、３０は底パネル、３１は底パネル外板、３２は底パネル内板、３３、３４は底折り込み片、４２は後板、４２Ａは突片形成用切線、４２Ｂは突片、４２Ｃは切込、４３は左側板、４４は右側板、４５Ａ、４６Ａは差し込み片形成用折線、４５、４６は差し込み片、４５Ｂ、４６Ｂは差し込み片係止用切込、５０は中箱天部、５１は天板、５１Ｂは延長天内板、５１Ａは天内板、５３、５４は天折り込み小片、６１は底板、６１Ａは穴部、６２は前板、６３は上板、６４は糊代片、Ｎは内容物、Ｐ１は外側の辺と下辺の交点、Ｐ２は内側の辺と後板の下辺の折線との交点、αは突片の下辺から後板の上辺に至る後板の上下方向の長さ、βは後板の折線で挟まれた部分の上下方向の長さ、γは前板の上下方向の長さ、δは振り出し口の下辺と前パネルの下辺間の長さ、εｏは外側の辺の長さ、εｉは内側の辺の長さ、θは傾斜角をそれぞれ示す。
【００１４】
図１は本発明に係る振り出しカートンの構成部材である外箱１とトレー状の中箱２を分離した状態で示す斜視図である。本発明の振り出しカートンＦは、直方体状の外箱１とトレー状の中箱２とからなり、トレー状の中箱２が直方体状の外箱１内に収納された二重構造の形態である。
【００１５】
図１、図２に示すように外箱１は、折線を介して、右側パネル１４、前パネル１１、左側パネル１３、後パネル１２、糊代片１５が順に連接され、右側パネル１４、前パネル１１、左側パネル１３、後パネル１２の上辺には折線を介して、天折り込み片２４、天パネル外板２１、天折り込み片２３、天パネル内板２２がそれぞれ連接され、下端には折線を介して、底折り込み片３４、底パネル外板３１、底折り込み片３３、底パネル内板３２がそれぞれ連接されてなる１枚のブランクを用いて、糊代片１５の外面と右側パネル１４の内面とを貼り合わせ折線で折り曲げて四角柱状の胴部となし、天折り込み片２３、２４を折線で折り曲げ、さらに天パネル内板２２、天パネル外板２１を折線で折り曲げ重ね合わせて貼り合わせることにより天パネル２０となし、底折り込み片３３、３４を折線で折り曲げ、さらに底パネル内板３２、底パネル外板３１を折線で折り曲げ重ね合わせて接着することにより底パネル３０となし、前パネル１１と後パネル１２、右側パネル１４と左側パネル１３、及び天パネル２０と底パネル３０とが、相互に対向するように構成されたシールエンドカートンである。
【００１６】
外箱１の前パネル１１に下端より所定高さの位置にジッパー１６で切り取り可能な開口部１１Ａが形成されている。ジッパー１６は略Ｌ字状の切目からなる破断線１６１、１６２が左側パネル１３と右側パネル１４の間に前パネル１１を横断するように並行に形成されており、破断線１６１、１６２の右端側には破断線１６１、１６２間の離間する長さの直線状の切目からなる破断線１６３が折線上に形成され、破断線１６１、１６２の左端側には破断線１６１、１６２の左端近傍に連結するようにコの字状切目からなる破断線１６４が形成されている。なお、破断線１６１、１６２はミシン目からなる切目線とすることもできるが略Ｌ字状の切目の方が、切り取り性が向上するので好ましい。
【００１７】
図２は本発明に係る振り出しカートンＦの外箱１のブランクを示す展開図である。外箱１を形成するブランクは、折線（一点鎖線で示し符号は省略する。）を介して、右側パネル１４、前パネル１１、左側パネル１３、後パネル１２、糊代片１５が順に連接され、右側パネル１４、前パネル１１、左側パネル１３、後パネル１２の上辺には折線を介して、天折り込み片２４、天パネル外板２１、天折り込み片２３、天パネル内板２２がそれぞれ連接され、下端には折線を介して、底折り込み片３４、底パネル外板３１、底折り込み片３３、底パネル内板３２がそれぞれ連接されている。前パネル１１には破断線１６１、１６２、１６３、１６４からなるジッパー１６で区画された領域が開口部１１Ａを形成する。コの字状切目からなる破断線１６４は少し左側パネル１３側にはみ出して形成されている。破断線１６４は前パネル１１内でもよいが少し左側パネル１３側にはみ出すように形成する方が摘まみやすく開口部１１Ａが切り取り易い。後パネル１２の上下辺中央部に摘み部形成用切目線１２Ａにより半円形状の摘み部１７が形成されている。さらに、摘み部形成用切目線１２Ａの両端は天パネル内板２２と後パネル１２及び底パネル内板３２と後パネル１２との折線の交点から折線上にそれぞれ外側に伸びる開封用破断線１８が延設されている。摘み部形成用切目線１２Ａ、開封用破断線１８は必須ではないが、本発明の振り出しカートンＦを詰め替え用カートンとして再利用する場合には設ける方が好ましい。また、摘み部１７は後パネル１２の上辺及び下辺に設けたが、いずれか一方でもよい。また、外箱１の一実施形態としてシールエンドカートンの形態を例示したが、限定されるものではなく、例えば、天パネル外板２１の上辺、または底パネル外板３１の下辺に折線を介して差し込みフラップを延設し差し込み式のカートンとすることもできる。この場合には天パネル内板２２、底パネル内板３２は不要となる。
【００１８】
直方体状の外箱１を構成するブランクは既存のサックマシンを用いて例えば後パネル１２と左側パネル１３間の折線、及び前パネル１１と右側パネル１４間の折線で内側に折り曲げられ、糊代片１５の外面に右側パネル１４の右縁部の内面を重ねてエマルジョン接着剤等の接着剤を用いて貼り合わせられ、折り畳まれた状態で製函される。その後、折り畳まれた外箱を起函させ外箱１が組み立てられる。起函させ外箱１に組み立てた際、コの字状切目からなる破断線１６４は少し左側パネル１３側にはみ出して形成されているので当該部分が折線より外方に少し突出した状態（図１参照）となり、開口部１１Ａをジッパー１６より破断して振り出し口４（図４、図５参照）を形成する際、破断開始のきっかけとして摘まみやすくなるので好ましい形態である。外箱１の形状は直方体状に限定されるものではない。
【００１９】
図３は本発明に係る振り出しカートンＦのトレー状の中箱２のブランクを示す展開図である。図３に示すようにトレー状の中箱２を形成するブランクは、折線（一点鎖線で示し符号は省略する。）を介して、右側板４４、後板４２、左側板４３が順に連接され、右側板４４、後板４２、左側板４３の上辺には折線を介して、天折り込み小片５４、天板５１、天折り込み小片５３がそれぞれ連接され、さらに、天板５１には折線を介して、天内板５１Ａ、延長天内板５１Ｂが連接されている。また後板４２の下辺には折線を介して、底板６１、前板６２、上板６３、糊代片６４が順に連接されている。後板４２と底板６１が連接される折線は中央部分で断線しており、断線した中央部分にはコの字状の切目からなる突片形成用切線４２Ａが底板６１側に張り出して形成され、その両端は断線した折線のそれぞれの内端に接続しており、断線した折線の内端間を結ぶ想定線と突片形成用切線４２Ａで囲まれた略四角形状の部分が突片４２Ｂとされ、後板４２の下辺中央部から下方に伸びて設けられている。突片４２Ｂの下辺から後板４２の上辺に至る後板４２の上下方向の長さαは、左側板４３と右側板４４の上下方向の長さと同じであるが、後板４２の折線で挟まれた部分の上下方向の長さβは左側板４３と右側板４４の上下方向の長さより短くされ、α＞βなる関係とされている。したがって、左側板４３と右側板４４の内側下部は底板６１と切り離された状態で隣り合わせとなっている。トレー状の中箱２を組み立てる際、後板４２と底板６１が連接される折線で底板６１を折り曲げたとき、後板４２には突片４２Ｂが形成され、底板６１には略四角形状の穴部６１Ａ（図１参照）が形成される。また、後板４２の上辺中央部には天板５１と後板４２を連接する折線の近くに天板５１側に尖った形状の切込４２Ｃが設けられている。
【００２０】
図３に示すトレー状の中箱２を形成するブランクは、天板５１、底板６１、一対の左側板４３及び右側板４４を、後板４２から立ち上がるように後板４２と連接する折線でそれぞれ折り曲げることにより天板５１、底板６１、左側板４３及び右側板４４を立ち上げると共に左側板４３の天折り込み小片５３を折線で内側に折り天板５１の内面に当接させ、同様に右側板４４の天折り込み小片５４を折線で内側に折り天板５１の内面に当接させ、天板５１については、天内板５１Ａを折線で内側に折り、延長天内板５１Ｂを折線で外側に折り、天板５１の内面に天内板５１Ａの内面を重ね合わせ天折り込み小片５３、５４を挟み込み、延長天内板５１Ｂの内面を後板４２の内面に当接させ上辺を切込４２Ｃに差し込み係止することにより中箱天部５０を形成する。また、切込４２Ｃを設けずに延長天内板５１Ｂを接着剤で後板４２に接着することもできる。なお、底板６１を後板４２から立ち上がるように折線で折り曲げたとき、後板４２の下辺に突片４２Ｂが形成されると共に底板６１には後板４２の下辺と連接する側の中央部に後板４２と隣接し突片４２Ｂの外郭線に相当する外郭線を有する略四角形状の穴部６１Ａが形成されている。
【００２１】
底板６１については、前板６２を折線で内側に折り、つぎに上板６３を折線で内側に折り、さらに糊代片６４を折線で外側に折り、エマルジョン接着剤等で後板４２に貼着し、受け台３を形成することにより、図１に示すトレー状の中箱２が組み立てられる。受け台３は、底板６１と上板６３及び前板６２と後板４２が相互に対向する構成である。底板６１及び上板６３の上下方向の長さは同じであるが、左側板４３及び右側板４４の左右の長さより少し長くされている。受け台３の後板４２側は糊代片６４が後板４２に貼着され固定されているが、対向する前板６２側は自由となっており、左側板４３または右側板４４側から見た受け台３の形状は略平行四辺形であり、底板６１及び上板６３が後板４２から前板６２に向かい下る傾斜面を備えている。傾斜面は後板４２の折線で挟まれた部分の上下方向の長さβにより緩急を設定でき、内容物の種類、大きさ、重さ、内装紙等を勘案して適宜決めればよい。
【００２２】
つぎに、振り出しカートンＦの組み立て方法の一例を説明する。まず、製函され折り畳まれた外箱を起函させ、天パネル２０及び底パネル３０が開放された四角筒状の状態とし、つぎに天折り込み片２３、２４を折線より内側に折り曲げ、天折り込み片２３、２４の外面に天パネル内板２２の内面が当接するように天パネル内板２２を折線より折り曲げ、さらに天パネル外板２１を折線で折り曲げ、天パネル外板２１の内面を天パネル内板２２の外面に重合し貼合する。図１に示す組み立てられたトレー状の中箱２内に内容物を中箱天部５０から受け台３の間に一列に積み重ねて充填し、外箱１の底パネル３０が開放された側から中箱天部５０を挿入し、トレー状の中箱２の開口側を外箱１の前パネル１１と対面させ、後板４２を後パネル１２と対面させて収納する。つぎに底折り込み片３３、３４を折線より内側に折り曲げ、底折り込み片３３、３４の外面に底パネル内板３２の内面が当接するように底パネル内板３２を折線より折り曲げ、さらに底パネル外板３１を折線で折り曲げ、底パネル外板３１の内面を底パネル内板３２の外面に重合し貼合することによりトレー状の中箱２が直方体状の外箱１内に収納されたシールエンドカートンの形態の振り出しカートンＦが完成する。
【００２３】
つぎに、図１、図４、図５、図６を参照しながら本発明の振り出しカートンＦの使用方法について説明する。図４、図５にはトレー状の中箱２に積層体で個包装された例えばビスケットを内容物Ｎとして縦一列に複数個積み重ねて充填されている例を示す。内容物Ｎが充填されると受け台３の自由となっていた前板６２側がその重みで前板６２と底板６１で成す稜線及び突片４２Ｂの下辺が底パネル３０に当接し受け台３は固定される。このときに受け台３の底板６１及び上板６３が底パネル３０に対して傾斜角θの傾斜面を備えている。使用者は、まず、直方体状の外箱１のコの字状切目からなる破断線１６４よりジッパー１６に沿って前パネル１１を切り取り開口部１１Ａを取り除くと、振り出し口４が形成される。つぎに振り出し口４が形成された振り出しカートンＦ’の底パネル３０側を台に当てて上下に１ないし数回叩くとその衝撃により内容物Ｎが振り出し口４より１つ飛び出してくる。使用者はその操作に興味を抱くので販促効果を高めることになる。
【００２４】
トレー状の中箱２の受け台３の上板６３及び底板６１が後板４２から前板６２に向かい下る傾斜面の傾斜角θは、後板４２の突片４２Ｂの上下方向の長さ（α−β）で決定される。底板６１と上板６３は平行になるように糊代片６４を後板４２に貼着されている。振り出し口４の上下方向の長さは内容物Ｎの高さにより決めればよく、内容物Ｎの１個分の高さより大きく２個分の高さより小さくするのがよい。振り出し口４の上下方向の長さはジッパー１６の破断線１６１と破断線１６２の上下の間隔により決定される。振り出し口４を設ける位置は、振り出し口４の下辺が、振り出し口４の下辺（破断線１６２）と前パネル１１の下辺間の長さδと前板６２の上下方向の長さγの関係において、γ≧δとなる関係を満足する位置に設けることが好ましい。そうすることにより、開口部１１Ａを切り取ることにより生じた鋸刃状の振り出し口４の下辺に内容物Ｎが遮られることがなく、内容物Ｎをスムーズに振り出せる。
【００２５】
図６は本発明に係る振り出しカートンの内容物を取り出した後の再利用方法を説明する部分斜視図である。内容物Ｎを全て取り出した後、空き箱となった振り出しカートンＦ’は、まず、図６に示すように、摘み部１７を指先で押圧して摘み部形成用切目線１２Ａを破ることにより開封し、つぎに、摘み部１７と共に天パネル外板２１及び天パネル内板２２を摘んで上方に引き上げて天パネル内板２２と後パネル１２との折線上の両側に延設された開封用破断線１８、１８を両端まで引裂くことにより天パネル２０を開口する。その後、開口された天パネル２０より、トレー状の中箱２を引き出し、詰め替え用の内容物Ｎを空になったトレー状の中箱２に上下方向に１列に積み重ねて再収容し、外箱１に収納して元の状態に戻すことにより、振り出しカートンＦ’として再利用ができる。なお、開封は天パネル２０または底パネル３０のいずれからも開封できるが、天パネル２０を開封する方が再利用時の内容物の振り出しが容易となるので好ましい。
【００２６】
本発明の振り出しカートンＦを構成する外箱１及びトレー状の中箱２の材質は、限定されないが、コートボール、ノーコートボール、カード紙、アイボリー、クラフトボール等のコート紙、ノーコート紙等の板紙が使用できる。坪量としては２３０ｇ／ｍ2  〜４５０ｇ／ｍ2 である。なお、トレー状の中箱２は上記板紙以外にプラスチック成型品とすることもでき、この場合にはプラスチックとしてポリエチレン、ポリプロピレン、ポリエステル、アクリロニトリル、アクリル、ポリカーボネート等の樹脂が使用できる。
【００２７】
なお、一実施形態では内容物Ｎとして積層体で個包装されたビスケットを例示したが、内容物Ｎとしてはビスケット以外に、クッキー、チョコレート、キャラメル、キャンデー等の菓子類にも適用できるものであり、これらを縦一列に積み重ねて収納し、収納した内容物Ｎを１つずつ取り出せる振り出しカートンとして好適に用いられる。
【００２８】
図７は本発明に係る振り出しカートンのトレー状の中箱のその他の例のブランクを示す展開図であり、図３に示した中箱のブランクとは左側板４３及び右側板４４の構成が異なっている。それ以外は同じであり同符号を付して説明を省略する。図７に示すようにその他の例のトレー状の中箱のブランクは、左側板４３及び右側板４４の天板５１側から底板６１側に向かう方向の両辺の長さが外側の辺の長さεｏより内側の辺の長さεｉが長くされており、外側の辺と下辺の交点Ｐ１と、内側の辺と後板４２の下辺の折線との交点Ｐ２とを結ぶ差し込み片形成用折線４５Ａ、４６Ａがそれぞれ形成され、左側板４３及び右側板４４の下部に差し込み片形成用折線４５Ａ、４６Ａで区画された略三角形の差し込み片４５、４６がそれぞれ設けられている。差し込み片４５、４６と底板６１は切線（図示しない）で分離しており、下部の頂点の近くに外側から底板６１に向かう方向に差し込み片係止用切込４５Ｂ、４６Ｂがそれぞれ設けられている。さらに略三角形の差し込み片４５、４６も下部の頂点周辺部は頂点より差し込み片係止用切込４５Ｂ、４６Ｂに向かう外郭線はへの字状とされ、差し込み片４５、４６の交点Ｐ１から下部の頂点に向かう差し込み片４５、４６の外郭線は差し込み片係止用切込４５Ｂ、４６Ｂにおいて段差を有している。このようにすることにより差し込み片係止用切込４５Ｂ、４６Ｂを穴部６１Ａに確実に係止できる。
【００２９】
図７、図８を参照しながらその他の例のトレー状中箱２’の組み立て方法の一例を説明する。図７に示すトレー状の中箱２’を形成するブランクは、天板５１、底板６１、一対の左側板４３及び右側板４４を、後板４２から立ち上がるように後板４２と連接する折線でそれぞれ折り曲げることにより天板５１、底板６１、左側板４３及び右側板４４を立ち上げると共に左側板４３の天折り込み小片５３を折線で内側に折り天板５１の内面に当接させ、同様に右側板４４の天折り込み小片５４を折線で内側に折り天板５１の内面に当接させ、天板５１については、天内板５１Ａを折線で内側に折り、延長天内板５１Ｂを折線で外側に折り、天板５１の内面に天内板５１Ａの内面を重ね合わせ天折り込み小片５３、５４を挟み込み、延長天内板５１Ｂの内面を後板４２の内面に当接させ上辺を切込４２Ｃに差し込み係止することにより中箱天部５０を形成する。なお、後板４２から立ち上がるように折線で折り曲げたとき、後板４２の下辺に突片４２Ｂが形成されると共に底板６１には後板４２の下辺と連接する側の中央部に後板４２と隣接し突片４２Ｂの外郭線に相当する外郭線を有する略四角形状の穴部６１Ａが形成されている。
【００３０】
穴部６１Ａが形成された底板６１については、隣接する前板６２を折線で内側に折り、つぎに上板６３を折線で内側に折り、さらに糊代片６４を折線で外側に折り、エマルジョン接着剤等で後板４２に貼着することにより受け台３’が形成される。その後、差し込み片４５、４６を差し込み片形成用折線４５Ａ、４６Ａで内側に折り曲げ、折り曲げた尖端部分を底板６１の穴部６１Ａに差し込み穴部６１Ａの端縁に差し込み片係止用切込４５Ｂ、４６Ｂを嵌合させて差し込み片４５、４６を底板６１に係止させることにより、受け台３’が固定される。受け台３’は、底板６１と上板６３及び前板６２と後板４２が相互に対向する構成である。上記形態は受け台３’が安定するのでより好ましい形態である。底板６１及び上板６３の上下方向の長さは同じであるが、左側板４３及び右側板４４の左右の長さより少し長くされている。受け台３’の左側板４３または右側板４４側から見た形状は略平行四辺形であり、底板６１及び上板６３が後板４２から前板６２に向かい下る傾斜角θの傾斜面を備えている。なお、前板６２と底板６１とで成す稜線及び突片４２Ｂの下辺はトレー状の中箱２’に内容物が充填されると底パネル３０と当接する。なお、トレー状の中箱の実施形態として板紙の例を示したがプラスチックのシート成形品等も使用できる。
【実施例】
【００３１】
つぎに実施例を挙げて説明する。
〔実施例１〕
直方体状の外箱１、トレー状の中箱２にコートボールを使用し、外寸が幅１００ｍｍ×奥行５７ｍｍ×高さ（上下長さ）１７３ｍｍの図１に示す直方体状の振り出しカートンＦを作製した。外箱１、トレー状の中箱２のブランクは図２、図３に示す展開図の形状とした。
【００３２】
〔実施例２〕
図７に示す形状のブランクを用いてトレー状の中箱２’を作製した以外は実施例１と同じとした。
【００３３】
実施例１、実施例２で作製した振り出しカートンに積層体で個包装された市販の板状のビスケット（江崎グリコ株式会社  ビスコ）１０枚を縦一列に重ねて充填し、上記使用方法で開封し振り出し口を形成した後、２〜３ｃｍ高さより底パネルから台上に落下させたところ、最下段のビスケットが振り出し口から飛び出し振り出すことができた。さらに、上記条件で振り出しカートンに衝撃を加える都度、ビスケットを一つずつ振り出すことができた。
【符号の説明】
【００３４】
Ｆ、Ｆ’                          振り出しカートン
１                                外箱
２、２’                          トレー状の中箱
３、３’                          受け台
４                                振り出し口
１１                              前パネル
１１Ａ                            開口部
１２                              後パネル
１２Ａ                            摘み部形成用切目線
１３                              左側パネル
１４                              右側パネル
１５                              糊代片
１６                              ジッパー
１６１、１６２、１６３、１６４    破断線
１７                              摘み部
１８                              開封用破断線
２０                              天パネル
２１                              天パネル外板
２２                              天パネル内板
２３、２４                        天折り込み片
３０                              底パネル
３１                              底パネル外板
３２                              底パネル内板
３３、３４                        底折り込み片
４２                              後板
４２Ａ                            突片形成用切線
４２Ｂ                            突片
４２Ｃ                            切込（延長天内板の係止）
４３                              左側板
４４                              右側板
４５Ａ、４６Ａ                    差し込み片形成用折線
４５、４６                        差し込み片
４５Ｂ、４６Ｂ                    差し込み片係止用切込
５０                              中箱天部
５１                              天板
５１Ｂ                            延長天内板
５１Ａ                            天内板
５３、５４                        天折り込み小片
６１                              底板
６１Ａ                            穴部
６２                              前板
６３                              上板
６４                              糊代片
Ｎ                                内容物
Ｐ１                              外側の辺と下辺の交点
Ｐ２                              内側の辺と後板の下辺の折線との交点
α                                突片の下辺から後板の上辺に至る後板の上下方向の長さ
β                                後板の折線で挟まれた部分の上下方向の長さ
γ                                前板の上下方向の長さ
δ                                振り出し口の下辺と前パネルの下辺間の長さ
εｏ                              外側の辺の長さ
εｉ                              内側の辺の長さ
θ                                傾斜角
【図１】
0006361393.tif 000002
【図２】
0006361393.tif 000003
【図３】
0006361393.tif 000004
【図４】
0006361393.tif 000005
【図５】
0006361393.tif 000006
【図６】
0006361393.tif 000007
【図７】
0006361393.tif 000008
【図８】
0006361393.tif 000009